【手続補正書】
【提出日】平成17年9月8日(2005.9.8)
【手続補正１】
【補正対象書類名】明細書
【補正対象項目名】特許請求の範囲
【補正方法】変更
【補正の内容】
【特許請求の範囲】
【請求項１】  貨幣の支払いに応じた価値であって、遊技に使用可能な遊技用価値の大きさを、各遊技用記録媒体に固有の識別情報に対応づけて管理する記録媒体管理装置と、
該記録媒体管理装置と通信可能であって、前記識別情報が記録された遊技用記録媒体を受付けて、該受付けた遊技用記録媒体の記録情報を少なくとも読み出す記録媒体処理手段と、
該記録媒体処理手段にて前記遊技用記録媒体から読み出した識別情報に対応付けて前記記録媒体管理装置にて管理されている遊技用価値の大きさを遊技に使用するための遊技使用処理を行う遊技使用処理手段と、
貨幣を受付けて該受付貨幣の識別を行う貨幣識別手段と、
該貨幣識別手段にて識別された貨幣金額に対応する遊技用価値の大きさと前記記録媒体処理手段にて遊技用記録媒体から読み出した識別情報とを特定可能な入金通知を前記記録媒体管理装置に送信する入金通知送信手段と、
を備える記録媒体処理装置と、
から成り、
前記記録媒体管理装置は、前記入金通知送信手段から受信した入金通知から特定される遊技用価値の大きさを、該入金通知から特定される識別情報に対応付けて管理している遊技用価値の大きさに加算更新する遊技用システムであって、
前記記録媒体処理装置は、
該装置内に内封され、前記遊技用価値の大きさが記録される遊技用内封記録媒体と、
前記記録媒体管理装置との通信状態が通信可能状態或いは通信不可能状態であるかの確認を行う通信状態確認手段と、
を更に備え、
該通信状態確認手段により通信不可能状態が確認された場合には、前記貨幣識別手段により貨幣を受け付けたときに、前記入金通知送信手段により入金通知を送信することなく、前記貨幣識別手段にて識別された貨幣金額に応じた遊技用価値の大きさを前記遊技用内封記録媒体に記録し、該遊技用内封記録媒体に記録された遊技用価値の大きさを遊技に使用するための内封記録媒体遊技使用処理を行う、
ことを特徴とする遊技用システム。
【請求項２】  前記記録媒体処理装置は、前記貨幣識別手段にて貨幣の受付可を報知する貨幣受付可能報知手段を備え、前記通信不可能状態である場合に、前記貨幣受付可能報知手段による貨幣受付可報知を行う請求項１に記載の遊技用システム。
【請求項３】  前記記録媒体処理装置は、前記通信状態確認手段にて確認された通信状態が通信可能状態か通信不可能状態であるかを報知する通信状態報知手段を備える請求項１または２に記載の遊技用システム。
【請求項４】  前記内封記録媒体遊技使用処理手段は、前記遊技用内封記録媒体に記録された遊技用価値の大きさの全てを、一度の前記内封記録媒体遊技使用処理にて使用する請求項１〜３のいずれかに記載の遊技用システム。
【請求項５】  前記記録媒体処理装置は、前記内封記録媒体遊技使用処理の実施中であることを報知する内封記録媒体遊技使用処理中報知手段を備える請求項１〜４のいずれかに記載の遊技用システム。
【手続補正２】
【補正対象書類名】明細書
【補正対象項目名】０００６
【補正方法】変更
【補正の内容】
【０００６】
【課題を解決するための手段】
前記した問題を解決するために、本発明の遊技用システムは、
貨幣の支払いに応じた価値であって、遊技に使用可能な遊技用価値の大きさを、各遊技用記録媒体に固有の識別情報に対応づけて管理する記録媒体管理装置と、
該記録媒体管理装置と通信可能であって、前記識別情報が記録された遊技用記録媒体を受付けて、該受付けた遊技用記録媒体の記録情報を少なくとも読み出す記録媒体処理手段と、
該記録媒体処理手段にて前記遊技用記録媒体から読み出した識別情報に対応付けて前記記録媒体管理装置にて管理されている遊技用価値の大きさを遊技に使用するための遊技使用処理を行う遊技使用処理手段と、
貨幣を受付けて該受付貨幣の識別を行う貨幣識別手段と、
該貨幣識別手段にて識別された貨幣金額に対応する遊技用価値の大きさと前記記録媒体処理手段にて遊技用記録媒体から読み出した識別情報とを特定可能な入金通知を前記記録媒体管理装置に送信する入金通知送信手段と、
を備える記録媒体処理装置と、
から成り、
前記記録媒体管理装置は、前記入金通知送信手段から受信した入金通知から特定される遊技用価値の大きさを、該入金通知から特定される識別情報に対応付けて管理している遊技用価値の大きさに加算更新する遊技用システムであって、
前記記録媒体処理装置は、
該装置内に内封され、前記遊技用価値の大きさが記録される遊技用内封記録媒体と、
前記記録媒体管理装置との通信状態が通信可能状態或いは通信不可能状態であるかの確認を行う通信状態確認手段と、
を更に備え、
該通信状態確認手段により通信不可能状態が確認された場合には、前記貨幣識別手段により貨幣を受け付けたときに、前記入金通知送信手段により入金通知を送信することなく、前記貨幣識別手段にて識別された貨幣金額に応じた遊技用価値の大きさを前記遊技用内封記録媒体に記録し、該遊技用内封記録媒体に記録された遊技用価値の大きさを遊技に使用するための内封記録媒体遊技使用処理を行う、
ことを特徴としている。
この特徴によれば、前記通信不可能状態においても、遊技者は、前記記録媒体処理装置に内封された前記遊技用内封記録媒体を用いて内封記録媒体遊技使用処理を受けることができるようになるため、これら通信不可能状態の発生に伴う遊技場側の被害を最小限に抑えることができるばかりか、前記内封された遊技用内封記録媒体を用いているので、情報の改竄等の不正がなされた遊技用記録媒体が使用されることも防止できる。
【手続補正３】
【補正対象書類名】明細書
【補正対象項目名】０００７
【補正方法】削除
【補正の内容】
【手続補正４】
【補正対象書類名】明細書
【補正対象項目名】０００８
【補正方法】変更
【補正の内容】
【０００８】
本発明の遊技用システムの前記記録媒体処理装置は、前記貨幣識別手段にて貨幣の受付可を報知する貨幣受付可能報知手段を備え、前記通信不可能状態である場合に、前記貨幣受付可能報知手段による貨幣受付可報知を行うことが好ましい。
このようにすれば、遊技者は、前記通信不可能状態である場合に、前記内封記録媒体遊技使用処理が実施可能であることを容易に認識できるので、支障なく内封記録媒体遊技使用処理を実施できる。
【手続補正５】
【補正対象書類名】明細書
【補正対象項目名】００１０
【補正方法】変更
【補正の内容】
【００１０】
本発明の遊技用システムの前記内封記録媒体遊技使用処理手段は、前記遊技用内封記録媒体に記録された遊技用価値の大きさの全てを、一度の前記内封記録媒体遊技使用処理にて使用することが好ましい。
このようにすれば、遊技者が、前記遊技用内封記録媒体から特定される遊技用価値の大きさを使い忘れてしまうことを防止できる。
【手続補正６】
【補正対象書類名】明細書
【補正対象項目名】００１１
【補正方法】変更
【補正の内容】
【００１１】
本発明の遊技用システムの前記記録媒体処理装置は、前記内封記録媒体遊技使用処理の実施中であることを報知する内封記録媒体遊技使用処理中報知手段を備えることが好ましい。
このようにすれば、遊技者は、貨幣投入に応じて前記内封記録媒体遊技使用処理が正常に実施されていることを容易に認識できる。
【手続補正７】
【補正対象書類名】明細書
【補正対象項目名】０１９８
【補正方法】削除
【補正の内容】
【手続補正８】
【補正対象書類名】明細書
【補正対象項目名】０１９９
【補正方法】変更
【補正の内容】
【０１９９】
（ｂ）請求項２の発明によれば、遊技者は、前記通信不可能状態である場合に、前記内封記録媒体遊技使用処理が実施可能であることを容易に認識できるので、支障なく内封記録媒体遊技使用処理を実施できる。
【手続補正９】
【補正対象書類名】明細書
【補正対象項目名】０２００
【補正方法】変更
【補正の内容】
【０２００】
（ｃ）請求項３の発明によれば、前記記録媒体処理装置における前記管理装置との通信状態を、店員が容易に把握することができ、例えば通信不可能状態が発生した場合に、該通信不可能状態となった記録媒体処理装置への対応を迅速に実施できる。
【手続補正１０】
【補正対象書類名】明細書
【補正対象項目名】０２０１
【補正方法】変更
【補正の内容】
【０２０１】
（ｄ）請求項４の発明によれば、遊技者が、前記遊技用内封記録媒体から特定される遊技用価値の大きさを使い忘れてしまうことを防止できる。
【手続補正１１】
【補正対象書類名】明細書
【補正対象項目名】０２０２
【補正方法】変更
【補正の内容】
【０２０２】
（ｅ）請求項５の発明によれば、遊技者は、貨幣投入に応じて前記内封記録媒体遊技使用処理が正常に実施されていることを容易に認識できる。